【手続補正書】
【提出日】平成19年2月8日(2007.2.8)
【手続補正１】
【補正対象書類名】明細書
【補正対象項目名】特許請求の範囲
【補正方法】変更
【補正の内容】
【特許請求の範囲】
【請求項１】  加工物クランプ（４８，３０２，３０４，４１０）と、
該加工物クランプによって保持された加工物の切断中にルータビットを案内するルータガイド部材（４０，４０ａ，１３５，２４０）と、
互いに間隔を置いて配置される１対の水平方向に延在し共平面を構成するルータプレートガイド表面領域（２０）と、
該ルータプレートガイド表面領域（２０）間に配置される細長開口（１８）と、
前記細長開口（１８）と複数のルータガイド部材（４０、４０ａ；１３５；２４０）とに沿って延在するガイド部材支持体（３６；４０８）とを備える木工用治具であって、
前記加工物クランプ（４８、３０２、３０４；４１０）は該細長開口（１８）の下方に取り付けられており、
該ガイド部材支持体（３６；４０８）は、該ガイド部材支持体（３６；４０８）に沿って分散して配置される一列状の位置決め形状部（３８；２３８）を有し、
該ルータガイド部材（４０，４０ａ，４６）は、前記位置決め形状部（３８；２３８）と係合可能に対応して配置される形状部（４６；２４６）を有して、加工物クランプ（４８、３０２、３０４；４１０）の上方かつ前記ルータプレートガイド表面領域（１６）の高さより下方の作動位置にルータガイド部材（４０、４０ａ；１３５；２４０）を位置決めすることを特徴とする木工用治具。
【請求項２】  請求項１に記載の木工用治具であって、前記形状部は、相互に係合可能な歯（４０、４０ａ；４６）を有することを特徴とする木工用治具。
【請求項３】  請求項１に記載の木工用治具であって、前記位置決め形状部（３９，２３８，４６，２４６）は、前記ガイド部材支持体（３６；４０８）に沿った線上に列をなして一様に離間して配置されていることを特徴とする木工用治具。
【請求項４】  請求項１から３のいずれかに記載の木工用治具であって、前記クランプは、
水平方向に閉鎖可能な１対のクランプジョー（５０、５２；３０２、３０４）と、
該クランプジョー（５０、５２；３０２、３０４）を担持しているクランプ支持構造体（７０、７６；３１０）と、
前記クランプジョー（５０、５２；３０２、３０４）を前記細長開口（１９）に直交する方向で水平方向前後に調整可能に変位させることができるクランプ調整装置（５５；３２４、４４２）とを有することを特徴とする木工用治具。
【請求項５】  請求項１から４のいずれかに記載の木工用治具であって、前記ルータガイド部材（４０、４０ａ；１３５、２４０）は、プラスチック材料製であることを特徴とする木工用治具。
【請求項６】  請求項１から４のいずれかに記載の木工用治具であって、前記ルータガイド部材（４０、４０ａ；１３５、２４０）は、前記ガイド部材支持体（３６；４０８）とスナップ作用によって弾性的に係合可能であることを特徴とする木工用治具。
【請求項７】  請求項１から４のいずれかに記載の木工用治具であって、前記ルータガイド部材は、雄部材（４０）と、該雄部材（４０）とは別の雌ガイド部材（４０ａ）とを有することを特徴とする木工用治具。
【請求項８】  請求項１から４のいずれかに記載の木工用治具であって、前記加工物クランプ（４８；３０２；３０４；４１０）を収容しているハウジング（１０）を有し、
該ハウジング（１０）は、前記細長開口（１８）の両側に沿って延在する隆起上部分（１６）を有し、前記ルータプレートガイド表面領域（２０）は、該隆起上部分（１６）上に形成されていることを特徴とする木工用治具。
【請求項９】  請求項１に記載の木工用治具であって、水平方向に延在する加工物を前記ガイド部材（４０、４０ａ）の作動位置の下方に固定するように配置された鉛直方向に閉鎖可能なクランプ（８８）を有することを特徴とする木工用治具。
【請求項１０】  請求項９に記載の木工用治具であって、前記鉛直方向に閉鎖可能なクランプ（８８）の前方で下向きに延在する安全プレート（２８）を含み、該プレート（２８）が取り外し可能であることを特徴とする木工用治具。
【請求項１１】  請求項１０に記載の木工用治具であって、前記安全閉鎖プレート（２８）は、透明であることを特徴とする木工用治具。
【請求項１２】  請求項９から１１のいずれかに記載の木工用治具であって、前記ハウジング（１０）には後方開口が設けられており、該後方開口は、前記鉛直方向に閉鎖可能なクランプ（８８）と水平方向に整合して、水平方向の加工物を前記後方開口を通って前記鉛直方向に閉鎖可能なクランプ（１８）内に挿入できることを特徴とする木工用治具。
【請求項１３】  請求項１から４のいずれかに記載の木工用治具であって、前記クランプは、
第１の細長クランプ部材（３０２）と、
該第１細長クランプ部材（３０２）を水平方向前後に調整可能に変位させる調整機構（３０８）と、
前記第１クランプ部材（３０２）から水平方向に間隔を置いてそれに平行に設けられた第２細長クランプ部材（３０４）と、
前記第１および第２クランプ部材（３０４、３０２）間の連結部（３２４）と、
該連結部（３２４）は、前記クランプ部材（３０４）を前記クランプ部材（３０２）に対して接離する方向に調整可能に変位させるように調整可能であることを特徴とする木工用治具。
【請求項１４】  請求項１３に記載の木工用治具であって、前記調整機構は、前記第１細長クランプ部材（３０２）の両端部に螺着されている１対のねじ付きシャフト（３０６、３０８）と、該ねじ付きシャフト（３０６、３０８）を相互連結させるベルト駆動装置（３２６）とを有することを特徴とする木工用治具。
【請求項１５】  請求項１４に記載の木工用治具であって、前記連結部は、前記第１および第２細長クランプ部材（３０２、３０４）の両端部を相互連結し、前記第１および第２細長クランプ部材（３０２、３０４）の一方（３０２）に螺着されている１対のねじ付きシャフト（３２４）と、該シャフト（３２４）を相互連結するベルト駆動装置（３０６）とを有することを特徴とする木工用治具。
【請求項１６】  請求項１から４のいずれかに記載の木工用治具であって、前記クランプは、
平行な第１および第２細長当接部（４１８、４２０）と、
該第１および第２細長当接部材（４１８、４２０）に平行に延在する細長クランプ部材（４１２）とを有し、
該クランプ部材（４１２）は、第１および第２クランプ位置間において前記第１および第２細長当接部（４１８、４２０）に対して調整可能に変位することができ、前記クランプ部材（４１２）の両側に第１および第２クランプ表面（４１４、４１６）が設けられていることによって、加工物を前記第１クランプ位置では前記第１クランプ表面（４１４）および前記第１細長当接部材（４１８）間に、前記第２クランプ位置では前記第２クランプ表面（４１６）および前記第２細長当接部材（４２０）間に固定することができることを特徴とする記載の木工用治具。
【請求項１７】  請求項１６に記載の木工用治具であって、前記第１細長当接部材（４１８）に対して前記第２当接部材（４２０）の前後の移動を調整可能な調整装置（４４２）を有することを特徴とする木工用治具。
【請求項１８】  請求項１７に記載の木工用治具であって、前記第１および第２細長当接部材（４１８、４２０）の各々は、クランプ部材（４１２）を間に十分に受容する可能な間隔で配置された１対の共平面を構成する細長い当接表面（４２６、４２８；４３２、４４３４）を有することを特徴とする木工用治具。
【請求項１９】  請求項１に記載の木工用治具であって、前記クランプは、それぞれのクランプ部材（５２２、５２４）に螺着されている逆ねじ部（５１８、５２０）を各々が有する１対の平行なシャフト（５２０）を備えることを特徴とする木工用治具。
【請求項２０】  請求項１から４のいずれかに記載の木工用治具であって、前記ハウジングを形成する上部窪み（６０２）を備え、前記ガイド部材支持体は前記上部窪み（６０２）内に着脱式に係合可能な交換式ハウジング上部分に設けられていることを特徴とする木工用治具。
【請求項２１】  請求項２０に記載の木工用治具であって、前記上部窪み（６０２）内にはめ込み可能なテンプレート（６００）を有し、該テンプレートは、外側ガイド部材（６０８）と、加工物を前記テンプレート（６００）に対して正確に位置決めするための調整可能なストッパ（６１２）とを有することを特徴とする木工用治具。
【請求項２２】  請求項１から４のいずれかに記載の木工用治具であって、前記ガイド部材（１３５ａ）は、該ガイド部材（１３５ａ）に沿って位置を調整可能である当接部材（７００）を備えていることを特徴とする木工用治具。
【請求項２３】  請求項１から４のいずれかに記載の木工用治具であって、前記クランプは、１対の平行なクランプアーム（８２２、８２６）を備え、該１対の平行なクランプアーム（８２２、８２６）は、該クランプアームに平行な軸線を中心に回転調整可能であることを特徴とする木工用治具。
【請求項２４】  請求項１から４のいずれかに記載の木工用治具であって、前記クランプは、無端ベルト（９１０、９１２）によって同時回転するように連結された対応のねじ付き調整シャフト（９０６、９０８）にそれぞれの両端部が螺着されている１対の平行なクランプアーム（９０２、９０４）を有し、前記シャフト（９０６、９０８）は治具ハウジング（９１８）内で軸支されていることを特徴とする木工用治具。
【請求項２５】  請求項１から４のいずれかに記載の木工用治具であって、閉鎖された両端部と、閉鎖された前部と、開口（１８）を除いて閉鎖されている上部とを有するハウジング（１０；４０２；５０２；６０４；８００）を有することを特徴とする木工用治具。